(57)【特許請求の範囲】
【請求項１】
医学技術的設備の制御装置（５）により、医学技術的設備の患者受け（４）が医学技術的設備の作用範囲の外側に配置されている予め定められた位置を占めているかどうかが連続的に検出され、
患者受け（４）が予め定められた位置を占めているとき、制御装置（５）により自動的に医学技術的設備の少なくとも１つの設備部分（１）の自己テストが開始され、
テスト結果が制御装置（５）に伝達されて制御装置（５）により処理され、
自己テスト中に患者受け（４）が予め定められた位置から去るときには、制御装置（５）により自動的に自己テストの即時中断が開始される
ことを特徴とする医学技術的設備の作動方法。
【請求項２】
テスト結果がその後の時点で制御装置（５）に接続可能な評価ユニット（１３）に伝達可能であるように、テスト結果が制御装置（５）により記憶されることを特徴とする請求項１記載の作動方法。
【請求項３】
制御装置（５）により自動的にテスト結果が基準結果と比較され、結果の比較が報知条件を満足するとき、制御装置（５）により自動的に報知が発せられることを特徴とする請求項１又は２記載の作動方法。
【請求項４】
制御装置（５）により、人間（７）によりその感覚器官で直接的に知覚可能である報知が発せられることを特徴とする請求項３記載の作動方法。
【請求項５】
制御装置（５）により自動的にテスト結果が基準結果と比較され、結果の比較が停止条件を満足するとき、制御装置（５）により医学技術的設備が安全な状態に移行させられることを特徴とする請求項１乃至４の１つに記載の作動方法。
【請求項６】
制御装置（５）により自己テスト前または自己テスト中に医学技術的設備の作用範囲内への基準対象物（１１）の組み入れが開始され、自己テストが基準対象物（１１）の組み入れのもとに行われることを特徴とする請求項１乃至５の１つに記載の作動方法。
【請求項７】
磁気共鳴設備に応用されることを特徴とする請求項１乃至６の１つに記載の作動方法。
【請求項８】
請求項１乃至７の１つによる方法を実行するための医学技術的設備。
【発明の詳細な説明】
【０００１】
【発明の属する技術分野】
本発明は医学技術的設備の作動方法及び医学技術的設備に関する。医学技術的設備の例は特にトモグラフの形態の磁気共鳴設備、Ｘ線設備および超音波設備である。
【０００２】
【従来の技術】
最適な結果を有する医学技術的設備の効率的な作動のためには、医学技術的設備の重要な技術的システムパラメータを少なくとも時々監視することが必要である。なぜならば、こうして初めて場合によっては徐々のまたは跳躍的な変化が適時に認識され、適当な対策が講じられるからである。
【０００３】
設備状態および重要な技術的システムパラメータを検査するために、従来の技術では医学技術的設備の正常な作動が中断される。次いでサービス技術者が必要な測定およびテストを行なう。このことはオペレータにとって利用喪失ならびに著しい時間浪費およびコスト浪費を意味する。
【０００４】
【発明が解決しようとする課題】
本発明の課題は、簡単で効率的に医学技術的設備をテストし得る医学技術的設備の作動方法および医学技術的設備自体を提供することである。
【０００５】
【課題を解決するための手段】
この課題は、医学技術的設備の制御装置により、医学技術的設備の患者受けが医学技術的設備の作用範囲の外側に配置されている予め定められた位置を占めているかどうかが連続的に検出され、
患者受けが予め定められた位置を占めているとき、制御装置により自動的に医学技術的設備の少なくとも１つの設備部分の自己テストが開始され、
テスト結果が制御装置に伝達されて制御装置により処理され、
自己テスト中に患者受けが予め定められた位置から去るときには、制御装置により自動的に自己テストの即時中断が開始されることにより解決される。
【０００６】
制御装置によりテスト結果の評価が行われないことがある。この場合、処理は、テスト結果がその後の時点で制御装置に接続可能な評価ユニットに伝達可能であるように、テスト結果を制御装置により記憶することに制限される。
【０００７】
しかし、制御装置により自動的にテスト結果が基準結果と比較され、結果の比較が報知条件を満足するとき、制御装置により自動的に報知が発せられると好ましい。なぜならば、正常な作動がもはや可能でない、またはもはや長く可能でないとき、制御装置により医学技術的設備のユーザへの相応の指摘とならんでテスト結果の能動的な評価が行われるからである。
【０００８】
制御装置により、人間によりその感覚器官で直接的に知覚可能である報知が発せられるならば、報知を検出するために別の技術的な装置は必要でない。報知としてはこの場合特に光学的及び／又は音響的報知がある。
【０００９】
テスト結果の評価は、制御装置により自動的にテスト結果が基準結果と比較され、結果の比較が停止条件を満足するとき、制御装置により医学技術的設備が安全な状態に移行させられるように利用される。この場合、設備、オペレータおよび設備により医学的検査をされる患者の危険な状態が回避される。
【００１０】
制御装置により自己テスト前または自己テスト中に医学技術的設備の作用範囲内への基準対象物の組み入れが開始され、自己テストが基準対象物の組み入れのもとに行われるならば、医学技術的設備の一層包括的な自己テストが可能になる。特に、このような基準対象物によってのみ可能である自己テストを実行することが可能である。
【００１１】
制御装置により自動的に、自己テスト中に状態の比較が状態条件をもはや満足しないとき、自己テストの即時中断が開始されるならば、一方では患者を危険に曝すことが確実に回避可能であり、他方では進行する作動の阻害が起こり得ない。自己テストの実行のみが場合によっては遅れる。
【００１２】
医学技術的設備の要素が患者受け（特に患者寝台）であり、医学技術的設備の要素の基準状態が、患者受けが医学技術的設備の作用範囲の外側に配置されている位置を占めることであるならば、医学技術的設備の患者のいない状態が特に確実に検出可能である。
【００１３】
【発明の実施の形態】
他の利点および詳細は以下において図面と結び付けて実施例を説明するなかで明らかになる。
【００１４】
図１によれば医学技術的設備は一例として磁気共鳴トモグラフとして構成されている。しかし医学技術的設備は他の設備、例えば超音波トモグラフ、Ｘ線トモグラフまたは他のＸ線設備であってもよい。
【００１５】
磁気共鳴トモグラフは開口２を備えた主範囲１を有する。寝台４上に位置している患者３が開口２を経て磁気共鳴トモグラフの作用範囲内に導き入れられる。作用範囲内で次いで医学的検査が行われる。例としてあげられた磁気共鳴トモグラフではそこで種々の磁界が、水素核（プロトン）が定められた磁気共鳴をするように励起され、磁気共鳴信号が受信かつ評価されるように、互いに重畳される。
【００１６】
患者寝台４を含めて磁気共鳴トモグラフは制御装置５により、プログラムメモリ６内に格納されている制御プログラムに応じて制御される。磁気共鳴トモグラフの制御はもちろん、制御装置５にユーザ７から入力装置８を介して予め与えられる制御命令との共同作用で行われる。磁気共鳴トモグラフの測定結果は次いで出力装置９（例えば対象物モニタ９）上に表示される。
【００１７】
患者寝台４は、図１からわかるように、矢印Ａに沿って作用範囲内に入れられたり、そこから出されたりするだけではない。患者寝台４は矢印Ｂに相応して下降または上昇可能である。下降している状態では確実に、人間が作用範囲内に位置していないことが保証されている。従って、患者寝台４が下降している状態は、危険なしに医学技術的設備の自己テストが実行される基準状態に相当する。
【００１８】
患者寝台４の位置は連続的にセンサ１０により検出され、制御装置５に報知される。センサ１０から発せられたセンサ信号が患者寝台４の下降している状態を表すならば、状態条件が満足されているので、自己テストが制御装置５により開始される。制御装置５はそのために相応の制御命令を主範囲１に伝達する。
【００１９】
制御命令に基づいて種々の自己テストが実行される。例えば磁気共鳴設備の送信パルスに対する電力増幅器の特性曲線が検出かつ評価される。さらに例えば種々の高周波電力監視が一貫性をチェックされる。また高周波送信コイルのパラメータが検出され得る。例えばこのようなパラメータはコイルの脱結合、共振周波数および良度である。また例えばいわゆるボディ‐チューン‐ボックスがその機能能力（リレーのスイッチング、個々の要素の離調）をチェックされる。その他のテストも考えられる。それらはそのつどの設備構成に関係する。
【００２０】
テスト結果は制御装置５に伝達され、これにより処理される。その後に制御装置５により作用範囲内への基準対象物１１（ファントム１１）の組み入れが開始される。基準対象物１１の組み入れの後に次いで基準対象物１１の組み入れのもとにその後の自己テストが実行される。
【００２１】
基準対象物１１に基づいて例えば送信コイルの所要電力が求められる。また例えばＳＮ比のコントロールが可能である。さらに磁気共鳴トモグラフが安定性をチェックされる。また発生される渦電流の大きさがコントロールされる。最後にいわゆるシムおよび勾配コイルシステムのパラメータのチェックが可能である。
【００２２】
これらのテスト結果も制御装置５に伝達され、これにより以後の処理をされる。
【００２３】
最も簡単な場合、テスト結果は制御装置５により単にテストメモリ１２内に記憶されるだけである。この場合、それらのテスト結果はその後の時点で、制御装置５に接続可能な評価ユニット１３に伝達可能である。
【００２４】
しかし制御装置５がテスト結果を基準結果と比較することは好ましい。基準結果は例えば基準値メモリ１４内に格納されていてよい。テスト結果と基準結果との比較に基づいて報知条件が満足されているならば、制御装置５により例えば、人間（ユーザ７）によりその感覚器官で直接的に知覚可能である報知が発せられる。例えば出力装置９またはコントロール灯１５を介して光学的な報知信号が発せられる。また例えばスピーカ１６を介して音響的な報知信号が発せられる。
【００２５】
個々の場合には、すなわち磁気共鳴トモグラフの危険な状態の検出の際には、磁気共鳴トモグラフが制御装置５により安全な状態に移されることさえも可能である。危険な状態の検出は、危険な状態を特徴付ける基準結果とのテスト結果の比較に相当する。この比較が満足されているならば、停止条件が満足されている。もちろんこの場合にも報知がユーザ７に発せられる。
【００２６】
すべての上記の過程は自動的に行われる。しかし、場合によっては、自己テストの実行がユーザ７の相応の制御命令により開始されることも可能である。しかしこの場合にも制御装置５により少なくとも１つの患者寝台４の位置が検出され、患者寝台４がその下降位置に位置しているときにのみ、自己テストが実行される。
【００２７】
実施例によれば、さらに、作用範囲内への基準対象物１１の組み入れも制御装置５により自動的に開始される。しかしここでも、相応の開始命令がユーザ７から予め与えられることも考えられよう。
【００２８】
自己テストは医学技術的設備の正常な作動を阻害してはならない。従って、制御装置５は、自己テスト中に患者寝台４がその下降位置を去るときには、すなわち状態条件がもはや満足されていないときには、自己テストの即時中断を開始する。
【００２９】
本発明による作動方法の機能態様を以下において再度図２および３と結び付けて説明する。
【００３０】
図２によれば最初にステップ１７で、患者寝台４がその下降位置にあるか否かがチェックされる。ステップ１７は、患者寝台４がその下降位置にあることが検出されるまで繰り返され、次いでステップ１８に分岐される。ステップ１８で、基準対象物１１の組み入れなしに実行可能な自己テストが行われる。
【００３１】
その後にステップ１９で、基準対象物１１が作用範囲内に入れられる、例えば搬入される。ステップ２０で次いで基準対象物１１の組み入れのもとでのみ実行可能な自己テストが実行される。最後にステップ２１で基準対象物１１が作用範囲から再び外に出される、例えば搬出される。
【００３２】
基準対象物１１が搬出された後にステップ２２で、自己テストが終了しているか否かがチェックされる。終了しているならば、ステップ２３でテスト結果が処理され、さもなければテストルーチンがテスト結果の処理なしに打ち切られる。
【００３３】
自己テストが終了しているか否かのチェックは特に有意義である。
【００３４】
テスト結果の処理は図３のように最初にステップ２３ａによるテストメモリ１２内への記憶を含んでいる。その後に記憶されたテスト結果がステップ２３ｂで第１の基準結果と比較される。ステップ２３ｃで、比較が報知条件を満足するか否かがチェックされる。報知条件を満足するならば、ステップ２３ｄで報知がユーザ７に発せられる。
【００３５】
次いでステップ２３ｅでテスト結果が第２の基準結果と比較される。ステップ２３ｆで次いで、比較が停止条件を満足するか否かがチェックされる。チェックの結果がイエスであれば、ステップ２３ｇで磁気共鳴トモグラフが安全な状態に移され、そこで停止される。
【００３６】
本発明による作動方法および医学技術的設備により簡単に、進行している作動を阻害することなしに、設備状態を診断目的および保守目的で検出することが可能である。
【図面の簡単な説明】
【図１】医学技術的設備の斜視図
【図２】フローチャート
【図３】フローチャート
【符号の説明】
１    主範囲
２    開口
３    患者
４    患者寝台
５    制御装置
６    プログラムメモリ
７    ユーザ
８    入力装置
９    出力装置
１０  センサ
１１  基準対象物
１２  テストメモリ
１３  評価ユニット
１４  基準値メモリ
１５  コントロール灯
１６  スピーカ
【図１】
0004327429.tif 000002
【図２】
0004327429.tif 000003
【図３】
0004327429.tif 000004